(57)【要約】【課題】  温湿布を収納することができる温湿布ショーツを提供する。【解決手段】  ショーツ本体１０と、その前部に設けた温湿布を収納できる収納袋２０とからなり、収納袋２０とショーツ本体１０を接合して、ショーツ本体１０の前部にポケットを形成し、温湿布を収納袋２０の開口部に入れることができ、収納袋２０の位置は温湿布を使用者の下腹部上にちょうどよく設置させることができ、これにより生理痛を軽減させる効果を得ることができる。【選択図】  図１  
0003108408.tif 000002
【実用新案登録請求の範囲】
【請求項１】
温湿布を収納することができる温湿布ショーツで、
ショーツ本体と、前記ショーツ本体前部に設けた温湿布を収納できる収納袋とからなり、
前記収納袋と前記ショーツ本体を接合して、前記ショーツ本体の前部にポケットを形成し、温湿布を前記収納袋の開口部に入れることができることを特徴とする温湿布を収納することができる温湿布ショーツ。
【請求項２】
前記収納袋は、使用者の下腹部に位置することを特徴とする請求項１記載の温湿布ショーツ。
【請求項３】
前記収納袋は、縫製によって前記ショーツ本体と接合することを特徴とする請求項１記載の温湿布ショーツ。
【請求項４】
前記収納袋は、熔接によって前記ショーツ本体と接合することを特徴とする請求項１記載の温湿布ショーツ。
【請求項５】
前記収納袋の開口部は、上を向いていることを特徴とする請求項１記載の温湿布ショーツ。
【請求項６】
前記開口部は、下に垂れる折り返し部を設け、これにより温湿布を前記収納袋内に固定することを特徴とする請求項５記載の温湿布ショーツ。
【請求項７】
前記収納袋の前記開口部は、上を向き、且つこの開口部に伸縮性の締め付け口を設けて、温湿布が前記収納袋内から落ちることを防止することを特徴とする請求項１記載の温湿布ショーツ。
【請求項８】
前記収納袋の横側は、開口部を備えることを特徴とする請求項１記載の温湿布ショーツ。
【請求項９】
温湿布を備えた温湿布ショーツで、
ショーツ本体からなり、
前記ショーツ本体の前部に温湿布を接合して、使用者が着用時に温湿布を使用することができることを特徴とする温湿布を備えた温湿布ショーツ。
【請求項１０】
前記温湿布は、使用者の下腹部に位置することを特徴とする請求項９記載の温湿布ショーツ。
【請求項１１】
前記ショーツ本体は、使い捨て式になることができることを特徴とする請求項９記載の温湿布ショーツ。
【請求項１２】
前記温湿布は、縫製によって前記ショーツ本体上に接合していることを特徴とする請求項９から１１まで記載中のどれか一つである温湿布ショーツ。
【請求項１３】
前記温湿布は、熱接着によって前記ショーツ本体上に接合していることを特徴とする請求項９から１１まで記載中のどれか一つである温湿布ショーツ。
【考案の詳細な説明】
【技術分野】
【０００１】
本考案は、温湿布ショーツに関するもので、特に温湿布の作用により女性の生理期の下腹部痛を軽減させる、温湿布を収納することができる温湿布ショーツに関するものである。
【背景技術】
【０００２】
一般に、女性の月経が来た時、多少の腰のだるさや下腹部の不快感は日常生活や仕事に影響はないが、月経時や月経前後に重い下腹部痛、腰のだるさ、吐き気、嘔吐等の症状が出ると、月経痛や生理痛のために生活や仕事に影響が出てしまう。月経痛の部位は、大体は下腹部に起こるが、時には腰、肛門、及び会陰部までに渉り、度々一定期的に起こる激痛は我慢し難く、ひどい時には吐き気、嘔吐、顔面蒼白、冷汗、頭痛、焦り、いらだち等の現象を伴う。
【０００３】
生理痛の軽減によく使われる方法は、痛みのある場所を暖める方法で、蒸しタオルや湯たんぽを用意して、痛みのある部位に軽くあてて、血液の循環を加速させて痛みを和らげることができる。しかしながら、蒸しタオルや湯たんぽはどちらも熱湯を必要とし、外出時に携帯するには不便であり、且つ蒸しタオルは使用有効時間が短く、また服を濡らしてしまうのでかなり不便であった。
【０００４】
既に多くの種類の温湿布が世に出ているが、その材質は、ある物は空気接触により熱を発し、またある物は遠赤外線の発熱原理を利用しており、温湿布の裏面は粘着面になっていて、それらの携帯式温湿布を下腹部の痛みのある部位のショーツの内側層上に貼ることができる。この種の温湿布の使用有効時間は約５〜８時間であることから、不快な症状を改善するにはかなり有効的である。従って、このような方法を用い、気軽に生理期の痛みや不快感を改善することができる。
【考案の開示】
【考案が解決しようとする課題】
【０００５】
しかしながら、公知の技術において、温湿布は粘着面をショーツの前面内側層に付着することにより、生理期の女性がトイレ或いは生理用ナプキンを取り替える時、ショーツを下ろす際にしばしば温湿布を落としたり、粘着性を失ったりして、かなり面倒であった。これにより、温湿布をショーツ内側層にしっかりとあてて装着させる、包み込む付着方法を必要とした。この外にも、一部の女性は温湿布を直接肌に接触させることを好まず、或いはその肌質が赤く熱をもつ等のアレルギー現象を起こすこともあった。
【０００６】
上記の課題により、本考案の考案者は考慮を重ねて、長年に渡り女性用ショーツ製造の経験を積んだことによって、温湿布を収納することができる温湿布ショーツを考え出し、温湿布をショーツ内側層にしっかりとあてて装着させることができることにより、温湿布を落とす煩わしさを起こさせず、女性が更に生理期を心穏やかに過ごすことができるようになった。
【課題を解決するための手段】
【０００７】
本考案の目的は、温湿布を収納することができる温湿布ショーツを提供することである。本考案は、ショーツ本体からなり、その特徴はショーツ本体の前部に温湿布を収納できる収納袋を設けて、収納袋は縫製或いは熔接によりショーツ本体と接合し、ショーツ本体の前部にポケットを形成し、温湿布を収納袋の開口部に入れることができ、収納袋の位置は収納袋内の温湿布を使用者の下腹部上にちょうどよく設置でき、これにより生理痛を軽減させる効果を得ることができる。
【０００８】
また本考案のもう一つの目的は、本考案のもう一つの形態に基づき、温湿布を備えた温湿布ショーツを提供することである。本考案は、ショーツ本体からなり、その特徴はショーツ本体の前部に温湿布を接合し、使用者は着用時に温湿布を使うことができることである。温湿布の位置は使用者の下腹部上に設置でき、これにより生理痛を軽減させる効果を得ることができる。温湿布とショーツ本体の接合の方法は直接縫製或いは熔接で貼りつけることができ、ショーツ本体は使い捨てすることができて、女性が生理期間中に外出或いは旅行する際に、直接この使い捨て式温湿布ショーツを穿く事ができて、大変便利である。
【考案の効果】
【０００９】
本考案の温湿布を収納することができる温湿布ショーツは、収納袋が温湿布をショーツ本体の適当な位置に固定させることができることにより、温湿布を落としたり、粘着性が失われるという現象を心配する必要をなくすことができる。且つ、収納袋から一層隔てて透すことで、肌に温湿布が直接接触して起こる赤く熱をもつアレルギー現象を避けることができる。しかしながら、温湿布の熱は、軽くて薄い空気を通す材料で設計された収納袋を透し、使用者の下腹部上まで到達することができる。この外、収納袋本体の材質は非常に軽くて薄く、使用者が例え生理期間中ではない時に本考案の温湿布ショーツを穿いていても、何の不快感もなく、それ故、本考案の温湿布ショーツは一挙両得の効果性を備え、消費市場上の要求を制限することはない。
【考案を実施するための最良の形態】
【００１０】
以下、本考案の実施形態を説明する。
【実施例１】
【００１１】
図１及び図２によると、本考案の温湿布を収納することができる温湿布ショーツは、ショーツ本体１０と、その前部に設けた温湿布（図では省略）を収納できる収納袋２０とからなり、収納袋２０は縫製或いは熔接等で貼りつけてショーツ本体１０と接合し、且つ開口部分は上を向いた長方形となり、ショーツ本体１０の前部にポケットを形成して、温湿布を収納袋２０の開口部に入れることができる。収納袋２０の材質は、軽くて薄く、空気を透すことができることを原則とすることで、温湿布の熱は簡単に収納袋２０を透し、使用者の肌まで到達することができる。並びに、収納袋２０の縫合位置は収納袋内の温湿布を使用者の下腹部上にちょうどよく設置させることができ、これにより生理痛を軽減させる効果を得ることができる。収納袋２０本体の形状は、長方形で、そのサイズと形状は一般によく見る温湿布を収納できるものである。しかし、図１で示す収納袋２０は模範事例を説明したに過ぎず、本考案の収納袋の形状はこれだけに限らない。この外に、収納袋２０上方には下に垂れる折り返し部３０を設け、温湿布の熱が失われ使用者が温湿布を取り替えたい時に、折り返し部３０を引っくり返すだけで、元の温湿布を取り出して、新しい温湿布を収納袋２０内に入れることができ、また、この折り返し部３０により、温湿布を収納袋内に固定させることができる。
【実施例２】
【００１２】
図３及び図４は、本考案のもう一つの実施例を示す。上述の実施例と異なる点は、この実施例は温湿布４０を直接ショーツ本体１０´の前部上に縫製或いは熔接で貼り付けて、この外に別の収納袋を設置する必要がないことである。また、ショーツ本体は使い捨て式になり、使い終わったらすぐに捨てられ、このような便利な設計により、女性は生理期間中の外出や旅行時に直接この使い捨て式温湿布ショーツを穿くことができ、使用上非常に便利である。
【００１３】
上述の２つの実施例により本考案を説明したが、本考案は上述の２種類の実施例に限られるわけではなく、例えばショーツ本体及び収納袋の形状は、材質はどちらも自由に変えられることができ、収納袋の開口部の方向も上向きから横向きに替えることができ、また、折り返し部も必要とは限らず、伸縮性を備えた締め付け口に替えることができる。
【００１４】
本考案では好適な実施形態を前述の通り開示したが、これらは決して本考案を限定するものではなく、当該技術を熟知するものなら誰でも、本考案の精神と領域を脱しない範囲内で各種の変動や潤色を加えることができる。従って本考案の保護の範囲は、実用新案登録請求の範囲で指定した内容を基準とする。
【図面の簡単な説明】
【００１５】
【図１】本考案の好適な実施例を示した前面図である。
【図２】図１を線ＡからＡに沿って切断した横断面図である。
【図３】本考案のもう一つの好適な実施例を示した前面図である。
【図４】図３を線ＢからＢに沿って切断した横断面図である。
【符号の説明】
【００１６】
１０    ショーツ本体
１０´  ショーツ本体
２０    収納袋
３０    折り返し部
４０    温湿布
【図１】
0003108408.tif 000003
【図２】
0003108408.tif 000004
【図３】
0003108408.tif 000005
【図４】
0003108408.tif 000006